(57)【要約】【課題】  焼鈍炉等の熱処理炉におけるシール装置として、蛇腹の円周方向に発生する変形を吸収できるシール装置を提供すること。【解決手段】  炉壁の開口部に設けられ炉側フランジと炉外フランジとの間にシール蛇腹が取り付けられたシール装置において、前記炉側フランジに炉側接続筒の円筒部が炉外側へ突設され、該円筒部の内側または外側に、間隔を存し同心に重なる円筒部を持つ炉外接続筒が、前記シール蛇腹の炉側に設けられ、前記両円筒部間に残された空間内に軸受けが介在される。両円筒部間で、前記軸受けを覆うように炉内側には水冷ジャケットまたは輻射熱遮蔽板が設けられる。【選択図】        図２
2005282916.tif 000002
【特許請求の範囲】
【請求項１】
炉壁の開口部に設けられ炉側フランジと炉外フランジとの間にシール蛇腹が取り付けられたシール装置において、前記炉側フランジに炉側接続筒の円筒部が炉外側へ突設され、該円筒部の内側に間隔を存し同心に重なる円筒部を持つ炉外接続筒が、前記シール蛇腹の炉側に設けられ、前記両円筒部間に残された空間内に軸受けが介在されたことを特徴とする熱処理炉におけるシール装置。
【請求項２】
炉壁の開口部に設けられ炉側フランジと炉外フランジとの間にシール蛇腹が取り付けられたシール装置において、前記炉側フランジに炉側接続筒の円筒部が炉外側へ突設され、該円筒部の外側に間隔を存し同心に重なる円筒部を持つ炉外接続筒が、前記シール蛇腹の炉側に設けられ、前記両円筒部間に残された空間内に軸受けが介在されたことを特徴とする熱処理炉におけるシール装置。
【請求項３】
前記両円筒部間で、前記軸受けを覆うように炉内側には水冷ジャケットが設けられたことを特徴とする請求項１記載の熱処理炉におけるシール装置。
【請求項４】
前記両円筒部間で、前記軸受けを覆うように炉内側には輻射熱遮蔽板が設けられたことを特徴とする請求項１記載の熱処理炉におけるシール装置。
【発明の詳細な説明】
【技術分野】
【０００１】
本発明は、熱処理炉におけるシール装置に関するものである。
【背景技術】
【０００２】
熱処理炉等には炉外から炉内へ力を伝えるための開口部（ダンパー等の開閉するためのシリンダーロッド部，ロール駆動におけるロール軸部等の貫通部）がある。この部分のシール装置として、従来は伸縮蛇腹が使用されている。この伸縮蛇腹は金属または特殊布からなり、多数の山部と谷部を持つ円筒状本体により、伸縮および横変位量が確保されたものである。そして、炉側フランジと炉外に固定されたフランジ間に接続される。
【発明の開示】
【発明が解決しようとする課題】
【０００３】
しかしながら、熱により発生する炉体の伸びによって、伸縮蛇腹は変形・ねじり・収縮を受ける。従来の構造では、蛇腹の半径方向および軸方向での変位は吸収されるが、円周方向における変位は吸収されず、シール部、特にフランジ面のボルト取付部の破損につながる危険性があった。
【０００４】
本発明は上記課題を解決し、焼鈍炉等の熱処理炉におけるシール装置として、蛇腹の円周方向に発生する変形を吸収できるシール装置を提供することを目的とする。
【課題を解決するための手段】
【０００５】
本発明の第１の課題解決手段は、炉壁の開口部に設けられ炉側フランジと炉外フランジとの間にシール蛇腹が取り付けられたシール装置において、前記炉側フランジに炉側接続筒の円筒部が炉外側へ突設され、該円筒部の内側に間隔を存して同心に重なる円筒部を持つ炉側接続筒が、前記シール蛇腹の炉側に設けられ、前記両円筒部間に残された空間内に軸受けが介在されたことである。
【０００６】
本発明の第２の課題解決手段は、炉壁の開口部に設けられ炉側フランジと炉外フランジとの間にシール蛇腹が取り付けられたシール装置において、前記炉側フランジに炉側接続筒の円筒部が炉外側へ突設され、該円筒部の外側に間隔を存して同心に重なる円筒部を持つ炉側接続筒が、前記シール蛇腹の炉側に設けられ、前記両円筒部間に残された空間内に軸受けが介在されたことである。
【０００７】
第３の課題解決手段は、第１課題解決手段に加え、前記両円筒部間で、前記軸受けを覆うように炉内側には水冷ジャケットが設けられたことである。
【０００８】
第４の課題解決手段による装置は、第１課題解決手段に加え、前記両円筒部間で、前記軸受けを覆うように炉内側には輻射熱遮蔽板が設けられたことである。
【発明の効果】
【０００９】
炉体の熱による伸びから発生する力のうち、局所的なシール装置にかかる力は、それの取付箇所によって様々である。この予測しにくい様々な力、特に蛇腹の円周方向の変形は、軸受けを介した蛇腹側の接続円筒部の回動により吸収されるのである。これにより、シール装置の破損を防ぐことができる。
【発明を実施するための最良の形態】
【００１０】
以下に本発明の一実施例を図面に基づき説明する。図１，２において、熱処理炉内に使用されているロール（ハースロール）の駆動装置と炉外のロール軸受け部との間に、シール装置として伸縮蛇腹４が設けられている。
【００１１】
即ち、炉壁１の開口部１ａに設けられ炉側フランジ２と炉外フランジ３との間に、シール蛇腹４が取り付けられている。シール蛇腹４は、公知の金属，特殊布などからなる波形円筒本体４ａと、その両端に設けられたフランジ部４ｂとからなる。
【００１２】
前記炉側フランジ２に取り付けられた炉側接続筒５は、円筒部５ａ一端外周に張り出したフランジ部５ｂからなる。そして、このフランジ部５ｂが炉側フランジ２の外面にボルトナット（図示省略）で着脱自在に取り付けられ、円筒部５ａが炉外側へ突設される。
【００１３】
該円筒部５ａの内側に間隔を存して、同心に重なる円筒部６ａを持つ炉外接続筒６が、前記シール蛇腹４の炉側フランジ部４ｂに設けられる。炉外接続筒６は、円筒部６ａ一端外周に張り出したフランジ部６ｂからなる。そして、このフランジ部６ｂが炉側フランジ４ｂの外面に、ボルトナットで着脱自在に取り付けられる。
【００１４】
前記両円筒部５ａ，６ａ間に残された空間内に、軸受け８が介在される。円筒部５ａの先端には半径方向内側に張り出す内フランジ５ｃが一体屈曲して設けられる。円筒部６ａの先端部分の外周には外ネジ６ｃが設けられ、それにアダプタリング７がねじ合う。これらにより、軸受け８の抜止めがなされる。
【００１５】
前記両円筒部５ａ，６ａ間で、前記軸受け８を覆うように、炉内側には水冷ジャケット９が設けられる。また、水冷ジャケット９に代えて、輻射熱遮蔽板１０（仮想線示）が設けられる。これらにより、炉内からの輻射熱から軸受け８が保護される。
【００１６】
以上において、熱処理炉の内部は８００℃以上の高温になり、また、炉体自体が非常に大きなものであるため、炉体の熱による伸びは相当なものとなる。この伸びから発生する力のうち、局所的なシール装置にかかる力は、それの取付箇所によって様々である。この予測しにくい様々な力、特に蛇腹の円周方向の変形は、軸受け８を介した蛇腹側の接続円筒部６ａの回動により吸収されるのである。これにより、シール装置の破損を防ぐことができる。
【００１７】
図３は他の実施例を示す。炉側接続筒５の円筒部５ａの外側に間隔を存して、同心に重なる円筒部６ａを持つ炉外接続筒６が、前記シール蛇腹４の炉側フランジ部４ｂに設けられる。前記両円筒部５ａ，６ａ間に残された空間内に、軸受け８が介在される。円筒部６ａの先端には半径方向内側に張り出す内フランジ６ｃが一体屈曲して設けられる。円筒部５ａの先端部分の外周には外ネジ５ｃが設けられ、それにアダプタリング７がねじ合う。  
【００１８】
本発明は前記した実施例や実施態様に限定されず、特許請求の範囲および範囲を逸脱せずに種々の変形を含む。
【産業上の利用可能性】
【００１９】
本発明は、熱処理炉におけるシール装置に利用される。
【図面の簡単な説明】
【００２０】
【図１】本発明の一実施例の一部切欠断面図である。
【図２】図１の要部拡大図である。
【図３】他の実施例の要部拡大断面図である。
【符号の説明】
【００２１】
１  炉壁
１ａ  開口部
２  炉側フランジ
３  炉外フランジ
４  シール蛇腹
５  炉側接続筒
５ａ  円筒部
５ｂ  フランジ部
６  炉外接続筒
６ａ  円筒部
６ｂ  フランジ部
７  アダプタリング
８  軸受け
９  水冷ジャケット
１０  輻射熱遮蔽板
【図１】
2005282916.tif 000003
【図２】
2005282916.tif 000004
【図３】
2005282916.tif 000005